(57)【要約】【課題】データを記録媒体に書込むために、複数のセクタの各セクタ用の最適書込み設定を決定する。【解決手段】装置は、記録媒体にデータを書込むために、熱アシスト磁気記録ヘッドに書込み設定（ＷＣ）を適用するように構成されたコントローラを備える。記録媒体は、複数のセクタを含む。コントローラは、複数のセクタの各セクタ用の最適ＷＣを決定し、複数のセクタの各セクタに書込み動作を開始するようにさらに構成されている。書込み動作は、各セクタの最適ＷＣを利用して、ヘッドにより行われるように構成されている。【選択図】図２
2016152057.tif 000002
【特許請求の範囲】
【請求項１】
装置であって、
複数のセクタを含む記録媒体にデータを書込むために、熱アシスト磁気記録ヘッドに書込み設定（ＷＣ）を適用するように構成されたコントローラを備え、
前記コントローラは、
前記複数のセクタの各セクタ用の最適ＷＣを決定し、
前記複数のセクタの各セクタに書込み動作を開始するように構成され、前記書込み動作は、各セクタの最適ＷＣを利用して、前記ヘッドにより行われるように構成されている、装置。
【請求項２】
前記最適ＷＣは、前記記録媒体の前記複数のセクタの各セクタのトリプルトラックビット誤り率を最小化する複数の書込み設定パラメータ（ＷＣＰ）を含む、請求項１に記載の装置。
【請求項３】
前記最適ＷＣは、前記記録媒体の前記複数のセクタの各セクタのトリプルトラックビット誤り率を最小化する単一ＷＣＰを含む、請求項１に記載の装置。
【請求項４】
前記コントローラは、前記複数のセクタの各セクタ用の最適ＷＣルックアップテーブルを記憶するように構成されている、請求項１に記載の装置。
【請求項５】
前記ルックアップテーブルは、前記複数のセクタの各セクタに対応する角度パラメータと半径パラメータとを用いてインデックスされる、請求項４に記載の装置。
【請求項６】
各セクタは、サーボウェッジに基づくセクタまたはデータに基づくセクタを含む、請求項１に記載の装置。
【請求項７】
前記複数のセクタの各セクタの材料特性は、変動し、
前記最適ＷＣは、前記材料特性の変動に応じて変化する、請求項１に記載の装置。
【請求項８】
熱アシスト磁気記録ヘッドを用いて記録媒体の複数のセクタの各セクタに書込み動作を行うための最適書込み設定（ＷＣ）を決定するステップを含む、方法。
【請求項９】
前記最適ＷＣは、最適レーザダイオード電流（ＬＤＩ）を含む、請求項８に記載の方法。
【請求項１０】
前記最適ＬＤＩは、前記記録媒体の前記複数のセクタの各セクタのトリプルトラックビット誤り率を最小化するＬＤＩを含む、請求項９に記載の方法。
【請求項１１】
前記複数のセクタの各セクタ用の最適ＷＣをルックアップテーブルに記憶するステップをさらに含む、請求項８に記載の方法。
【請求項１２】
前記ルックアップテーブルは、複数のセクタの各セクタに対応する角度パラメータと半径パラメータとを用いてインデックスされる、請求項１１に記載の方法。
【請求項１３】
各セクタは、サーボウェッジに基づくセクタまたはデータに基づくセクタを含む、請求項８に記載の方法。
【請求項１４】
前記複数のセクタの各セクタの材料特性は、変動し、
前記最適ＷＣは、前記材料特性の変動に応じて変化する、請求項８に記載の方法。
【請求項１５】
装置であって、
複数のセクタを含む記録媒体にデータを書込むために、熱アシスト磁気記録ヘッドに書込み設定（ＷＣ）を適用するように構成されたコントローラを備え、
前記コントローラは、前記複数のセクタの各セクタ用の最適ＷＣを決定するように構成され、前記最適ＷＣは、前記記録媒体の前記複数のセクタの各セクタのトリプルトラックビット誤り率を最小化するＷＣを含み、
前記コントローラは、前記複数のセクタの各セクタに書込み動作を開始するように構成され、前記書込み動作は、各セクタの最適ＷＣを利用して行われるように構成されている、装置。
【請求項１６】
前記最適ＷＣは、最適レーザダイオード電流（ＬＤＩ）を含む、請求項１５に記載の装置。
【請求項１７】
前記コントローラは、前記複数のセクタの各セクタ用の最適ＷＣルックアップテーブルを記憶するように構成されている、請求項１５に記載の装置。
【請求項１８】
前記ルックアップテーブルは、前記複数のセクタの各セクタに対応する角度パラメータと半径パラメータとを用いてインデックスされる、請求項１７に記載の装置。
【請求項１９】
各セクタは、サーボウェッジに基づくセクタまたはデータに基づくセクタを含む、請求項１５に記載の装置。
【請求項２０】
前記複数のセクタの各セクタの材料特性は、変動し、
前記最適ＷＣは、前記材料特性の変動に応じて変化する、請求項１５に記載の装置。
【発明の詳細な説明】
【発明の概要】
【課題を解決するための手段】
【０００１】
本開示の装置は、記録媒体にデータを書込むために、熱アシスト磁気記録ヘッドに書込み設定（ＷＣ）を適用するように構成されたコントローラを備える。記録媒体は、複数のセクタを含む。コントローラは、複数のセクタの各セクタ用の最適ＷＣを決定し、複数のセクタの各セクタに書込み動作を開始するようにさらに構成されている。書込み動作は、各セクタの最適ＷＣを利用して、ヘッドにより行われるように構成されている。
【０００２】
本発明の方法は、熱アシスト磁気記録ヘッドを用いて記録媒体の複数のセクタの各セクタに書込み動作を行うための最適書込み設定（ＷＣ）を決定するステップを含む。
【０００３】
本発明の別の装置は、複数のセクタを含む記録媒体にデータを書込むために、熱アシスト磁気記録ヘッドに書込み設定（ＷＣ）を適用するように構成されたコントローラを備える。記録媒体は、複数のセクタを含む。コントローラは、さらに、複数のセクタの各セクタ用の最適ＷＣを決定し、複数のセクタの各セクタに書込み動作を開始するように構成される。最適ＷＣは、記録媒体の複数のセクタの各セクタのトリプルトラックビット誤り率を最小化するＷＣを含む。書込み動作は、各セクタの最適ＷＣを利用して行われるように構成されている。
【０００４】
上記の概要は、各実施形態またはあらゆる実現例を説明するように意図していない。明白なことは、添付の図面と併せて以下の詳細な説明および特許請求の範囲を参照することにより、本発明をより完全に理解することができることである。
【図面の簡単な説明】
【０００５】
【図１】ＨＡＭＲスライダの一例を示す図である。
【図２】読取り／書込みヘッド構成の一例を示す図である。
【図３Ａ】特定されたトラックおよびセクタを有するディスクの一例を示す図である。
【図３Ｂ】理想的なトラックプロファイルを示す図である。
【図３Ｃ】実際のトラックプロファイルを示す図である。
【図４】トラックの複数のセクタにわたってビット誤り率（ＢＥＲ）の変化を示すグラフである。
【図５】隣接トラックのＢＥＲの変化を示すグラフである。
【図６】さまざまな例示的実施形態に係るセクタに基づくレーザダイオード電流（ＳＢ−ＬＤＩ）書込み方法を示すフローチャートである。
【図６Ａ】さまざまな例示的実施形態に係るセクタに基づくレーザダイオード電流（ＳＢ−ＬＤＩ）書込み方法を示すフローチャートである。
【図７】さまざまな例示的実施形態に係るセクタに基づくレーザダイオード電流（ＳＢ−ＬＤＩ）書込み方法を示すフローチャートである。
【図８】トラックに基づくレーザダイオード電流（ＴＢ−ＬＤＩ）書込みとＳＢ−ＬＤＩ書込みとを比較するグラフである。
【図９】トラックに基づくレーザダイオード電流（ＴＢ−ＬＤＩ）書込みとＳＢ−ＬＤＩ書込みとを比較するグラフである。
【発明を実施するための形態】
【０００６】
図面は、必ずしも一定の縮尺で描かれてない。図面に使用される同様の番号は、同様の構成要素を示している。しかしながら、特定の図において構成要素を示すための番号の使用は、別の図において同一の番号が付された構成要素を制限することを意図するものではないことが理解されるであろう。
【０００７】
詳細な説明
サーマルアシスト磁気記録（ＴＡＭＲ）とも呼ばれる熱アシスト磁気記録（ＨＡＭＲ）において、熱エネルギーは、たとえばハードディスクなどの磁気記録媒体に印加される磁場とともに使用され、従来の磁気媒体の面データ密度を制限する超常磁性効果を克服する。ＨＡＭＲ記録において、情報ビットは、高温で記憶層に記録される。記憶層内の加熱された領域は、データビットの寸法を決定し、線記録密度は、データビット間の磁気遷移によって決定される。
【０００８】
所望のデータ密度を達成するために、ＨＡＭＲスライダとも知られているＨＡＭＲ記録ヘッドは、記録媒体を加熱するために、エネルギー源からの光エネルギーを導光、集光および変換する光学部品を含む。ＨＡＭＲスライダの構成例は、図１に示されている。ＨＡＭＲスライダ１００は、レーザダイオードのようなエネルギー源１０２を含む。このエネルギー源１０２は、近接場変換器（ＮＦＴ）１０６の光学アンテナ１１２にエネルギーを与えるレーザ光を生成するように構成されている。エネルギー源１０２によって生成されたレーザ光は、光学導波路１１０を介してＮＦＴ１０６に導光される。空気軸受面（ＡＢＳ）とも知られているヘッド媒体界面（ＨＭＩ）は、参照番号１０８で示される。
【０００９】
図２は、例示的な実施形態に係るスライダ２００の断面を示すブロック図である。図示のように、導波路２０２は、エネルギー源からの電磁エネルギー２０４を受取り、近接場変換器（ＮＦＴ）２０６にエネルギーを伝送する。ＮＦＴ２０６は、印加されたエネルギー２０４に応じて表面プラズモン共鳴を引き起こす金属（たとえば、銀、金、銅など）から構成される。ＮＦＴ２０６は、エネルギーを小さなホットスポット２０８を形成するように変形して、媒体２１４の表面２１０に伝送する。書込み磁極２１６は、印加された電流に応じて、スライダの媒体対向面２１８近くの磁束に変化を引き起こす。ホットスポット２０８がダウントラック方向（ｚ方向）に沿って書込み磁極２１６を通過するときに、書込み磁極２１６からの磁束は、ホットスポット２０８の磁気向きを変更する。ＮＦＴ２０６に印加され、ホットスポットを形成するためのエネルギー２０４は、局所領域に大幅な温度上昇を引き起こすことができる。よって、ＮＦＴ２０６は、たとえば書込み磁極２１６または近くの他の熱伝導性要素に一部の熱を発散させるヒートシンク２２０を含んでもよい。
【００１０】
ＨＡＭＲにおいて、磁気特性および熱特性の両方は、最良性能を実現するための好適な書込み設定（以下「ＷＣ」と称する）（ＬＤＩ  Ｉｏｐ／ＬＤＩ−ＯＳＡ／ＬＤＩ−ＯＳＤ／Ｉｗ／ＯＳＡ／ＯＳＤ／ヒータ設定など）を決定する。一般的に、ＨＡＭＲドライブは、好ましくは、許容可能なトリプルトラックＢＥＲを生成するＷＣの下で動作する。一構成では、ＨＡＭＲレーザダイオード電流書込み方法は、ＷＣについて、すべてのトラックが固定ＬＤＩによって書込まれるというトラックに基づくレーザダイオード電流（ＴＢ−ＬＤＩ）書込み方法を含む。この書込み方法は、トラックに亘って推奨のＬＤＩが均一であることを前提としている。しかしながら、ＨＡＭＲ媒体は、トラック不均一性を示す場合がある。このことは、ワンスアラウンド（ＯＡＲ）として知られている。媒体がＯＡＲ問題を有する場合、ＴＢ−ＬＤＩの書込み方法は、不均一なトラックプロファイルだけでなく、不均一なトリプルトラックＢＥＲを引き起こす可能性がある。一般には、ディスクの材料分布が、ディスク内に熱変動または磁気変動などの変動を引き起し得て、これらの変動を調整することは、望まれる。
【００１１】
図３Ａ〜３Ｃを参照して、トラックプロファイルの変動をより良く理解することができる。図３Ａは、トラック３０２と複数のセクタ３０４とを含む磁気記録媒体３００を簡略に示している。図３Ｂは、ＴＢ−ＬＤＩ書込み方法を使用する場合に、均一な書込み幅（ＷＷ）を有するトラック３０２およびセクタ３０４の理想的なトラックプロファイルを示している。図３Ｃは、ＴＢ−ＬＤＩ書込み方法を使用する場合に、トラック３０２およびセクタ３０４の実際のトラックプロファイルを示している。図示のように、ＷＷは、一回転の間に著しく変動することができるため、不均一なトリプルトラックＢＥＲを引き起こす。図４は、単一のトラックのさまざまなセクタにわたってトリプルトラックＢＥＲの変動を示すグラフを提供することによって、この変動をさらに例示している。
【００１２】
ＴＢ−ＬＤＩ書込み方法において、磁気媒体がＯＡＲを有する場合、同一のトラック上のセクタは、固定ＬＤＩ Ｉｏｐの下で一括的に操作されるために、ＢＥＲを犠牲しなければならない。その結果、オントラックトリプルトラックＢＥＲは、最適値ではない。また、複数回書込みの後（図５に示すように、隣接ＯＡＲは、１０回書込みの後に観察された）、ＢＥＲに与えた隣接トラックの影響は、オントラック不均一性またはＯＡＲを示す。ＢＥＲに与えた隣接トラックの影響は、固定ＩＯＰ（図５参照）未満のＩＯＰを必要とするセクタを５倍悪化させ得る。その原因は、このようなセクタのデータ幅がより広いからである。図５は、磁気媒体がＯＡＲ問題を有する場合に、中心トラックを０〜１０００回書込んだ後、隣接トラックのオントラックトリプルトラックＢＥＲを示すグラフである。
【００１３】
所定の媒体から最適なトリプルトラックＢＥＲを求め、隣接トラックのＯＡＲ影響を低減するために、本開示は、セクタに基づくＷＣ（ＳＢ−ＷＣ）書込み方法を記載する。この方法は、一般的に、最適ＷＣを検索するステップと、記録媒体の複数のセクタの各セクタ用の好ましい最適ＷＣを決定するステップと、ＨＡＭＲヘッドがセクタに書込むときにＨＡＭＲヘッドのＷＣを調整するステップとを含む。ＳＢ−ＷＣ書込み方法において、ＨＡＭＲ書込みに影響を与える任意のＷＣパラメータ（以下「ＷＣＰ」と称する）を掃引することができる。これらのＷＣＰは、たとえば、レーザダイオード動作電流（ＬＤＩ Ｉｏｐ）、磁気書込み電流（Ｉｗ）、レーザダイオード電流のオーバーシュート振幅（ＬＤＩ−ＯＳＡ）、レーザダイオード電流のオーバーシュート期間（ＬＳＩ−ＯＳＤ）、磁気書込み電流のオーバーシュート振幅（ＯＳＡ）、および磁気書込み電流のオーバーシュート期間（ＯＳＤ）などを含むがこれらに限定されない。一回に１つのＷＣＰを最適化するように、単一のＷＣＰまたは複数のＷＣＰを最適化することができる。ＬＤＩは、ＨＡＭＲの最も特異なＷＣＰのうちの１つである。以下の方法６００において、ＳＢ−ＬＤＩ書込みは、ＳＢ−ＷＣ書込みの明示的な例として与えられる。ＳＢ−ＷＣ書込みに対応する他のＷＣＰを用いて、方法６００内のＩＯＰを置換することができる。
【００１４】
図６のフローチャートを参照して、方法６００を説明する。ＳＢ−ＬＤＩ書込み方法６００において、所定の媒体のトラックに対し、トラックの各セクタは、最適トリプルトラックＢＥＲ値を生成できるように、対応するＩＯＰによって書込まれる。図６および図６Ａに示された方法は、参照のために、さまざまな英字識別子を使用している。これらの識別子は、たとえば、（１）トラック番号を示すｊ、（２）媒体上のトラックの合計数を示すｍ、（３）セクタ番号を示すｋ、（４）トラックｊ上のセクタの合計数を示すｎ、（５）カウンタを示すｉを含む。
【００１５】
方法６００を実行するたびに、トラック番号ｊをｊ＝１に設定する（ブロック６０２）。次に、集合［１，ｎ］の要素を構成するすべてのセクタｋ（ブロック６０４）に対し、ｉをｉ＝１に設定する（ブロック６０６）。続いて、動作電流ＩＯＰ（ｉ−１，ｊ）（ｉ＝１の場合、ＩＯＰ（０，ｊ）は、初期動作電流ＩＯＰになる）を用いて、各トラックｊ，ｊ−１およびｊ＋１を書込み、ＢＥＲを測定し、ここでＢＥＲ＿ＩＯＰ（ｉ−１，ｋ，ｊ）は、ＩＯＰ（ｉ−１，ｊ）の下でトラックｊ上のセクタｋのＢＥＲである（ブロック６０８）。ブロック６０４で選択されたセクタは、トラックのすべてのセクタのサブセットであってもよく、ブロック６０２で選択されたトラックは、媒体のすべてのトラックのサブセットであってもよいことが理解されるだろう。その後、動作電流ＩＯＰ（ｉ，ｊ）を用いて、各トラックｊ，ｊ−１およびｊ＋１を書込み、この場合、動作電流ＩＯＰ（ｉ，ｊ）＝ＩＯＰ（ｉ−１，ｊ）＋ＤＡＣであり、ＤＡＣは、ＩＯＰ（ｉ，ｊ）と同一単位でユーザ定義された値（たとえば、０．２０５ｍＡ）であり、ＢＥＲをＢＥＲ＿ＩＯＰ（ｉ，ｋ，ｊ）として再度測定する（ブロック６１０）。動作電流下のＢＥＲ値と動作電流＋ＤＡＣ下のＢＥＲ値との間の差は、次の式（１）に従って計算される（ブロック６１２）。
【００１６】
式（１）      ΔBER(i,k,j)＝BER_IOP(i,k,j)−BER_IOP(i-1,k,j)
差から得られたΔBER(i,k,j)の値がゼロ以下の場合（ブロック６１４）、カウンタｉは、１増分される（ブロック６１５）。ループ制御は、ステップ６１０に戻り、新しいｉ値を反映する動作電流ＩＯＰ（ｉ，ｊ）を用いて、各トラックｊ，ｊ−１およびｊ＋１を書込み、新しいｉ値をまた反映するＢＥＲ＿ＩＯＰ（ｉ，ｋ，ｊ）を再度測定する。式（１）に従って、ＢＥＲ値の間の差を再度決定する（ブロック６１２）。
【００１７】
差から得られたΔBER(i,k,j)の値がゼロよりも大きい場合（ブロック６１４）、ｋ値、すなわち、セクタ番号は、セクタサブセットＡ（ｉ，ｊ）に記憶され、セクタサブセットＡ（ｉ，ｊ）の要素であるすべてのセクタ番号ｋに対して、ΔBER(i, k, j)>0であるということを知って、対応する動作電流ＩＯＰは、最適ＩＯＰ（ｉ−１，ｊ）として記憶される（ブロック６１６）。続いて、各決定ブロック６１８が実行されるたびに、集合［１，ｎ］の要素を構成するセクタ数ｋに対して、任意のΔBER(i, k, j)がゼロよりも小さいか否かを照会する。任意のBER(i, k, j)がゼロよりも小さい場合、カウンタｉは、１増分され（ブロック６１５）、ループ制御は、再びステップ６１０に戻り、上述したように、そこから処理する。
【００１８】
ΔBER(i,k,j)がゼロ以上の場合、方法６００は、決定ブロック６２０に進む。決定ブロック６２０では、トラック番号ｊがトラックの合計数ｍよりも小さいか否かを照会する。トラック番号ｊがトラックの合計数ｍよりも小さい場合、トラック番号ｊは、１（またはいくつかの他の値たとえば、２、３、４．．．）増分され（ブロック６２１）、ループ制御は、新しい値ｊを反映して、再びステップ６０４に戻り、上述したように、処理を進める。このように、方法６００は、媒体の各セクタおよび各トラックを反復処理することにより、各トラックｊの各セクタｋの最適動作電流ＩＯＰ（ｋ，ｊ）を見出し、最適トリプルトラックＢＥＲを生成する。方法６００が各セクタｋおよび各トラックｊを反復処理する間に、すべてのセクタサブセットＡ（ｉ，ｊ）および対応するＩＯＰ（ｋ，ｊ）に基づいたＩＯＰ用の動作電流ルックアップテーブルを作成する（ブロック６２２）。
【００１９】
ＩＯＰ（ｋ，ｊ）を見出した後、トラックｊのセクタｋ用の最終動作レーザ電流ＩＯＰを算出することができる。まず、セクタｋのカウンタおよびトラックｊのカウンタを１に設定する（ブロック６２１および６２３）。次に、すべてのトラックｊ（ｊ∈［１，ｍ］、ｍはトラックの合計数である）のすべてのセクタｋに対して、ＩＯＰ（ｊ）をＩＯＰ（ｊ）＝ｍｉｎ［ＩＯＰ（ｋ，ｊ）］に設定する。ΔＩＯＰ（ｋ，ｊ）は、式（２）に従って計算される（ブロック６２４）。
【００２０】
式（２）      ΔＩＯＰ（ｋ，ｊ）＝ＩＯＰ（ｋ，ｊ）−ＩＯＰ（ｊ）
方法６００が（決定ブロック６３２、６３４および増分ブロック６３３、６３５のそれぞれを使用して）セクタｋおよびトラックｊを反復処理する間に、対応する動作電流ＩＯＰ（ｊ）およびΔＩＯＰ（ｋ，ｊ）は、ルックアップテーブルに記録されてもよい（ブロック６２８）。ブロック６２８までの処理は、記憶装置の製造段階、たとえば品質試験時に行われてもよい。よって、媒体に書込む時に、ルックアップテーブルから得られた対応のＩＯＰ（ｋ，ｊ）＝ＩＯＰ（ｊ）＋ΔＩＯＰ（ｋ，ｊ）を用いて、媒体の各トラックをセクタごとに書込んでもよい（ブロック６３０）。留意すべきことは、ヘッドの最適性能を達成するために、動作電流ＩＯＰは、書込み電流ＩＷとの組合わせ（ＩＯＰ／ＩＷ）として利用され、ＨＡＭＲ記録ヘッドの好適な書込み設定電流を形成することである。
【００２１】
ＳＢ−ＬＤＩ書込み方法の他の例示的な実施形態において、方法は、角度および半径を利用して、媒体を書込む最適動作電流を決定する。再び図３Ａを参照すると、各トラックが半径ｒに対応し、各セクタが角度θに対応していることが分かる。図６および図６Ａのフローチャートは、半径ｒを用いてトラック番号ｊを置換し、角度θを用いてセクタ番号ｋを置換し、必要に応じて他の修正を加えることにより、本実施形態に利用されることができる。上述した置換により、ｒによって定義されたトラックの角度θによって定義されたセクタの最終動作レーザ電流は、式（３）により計算される。
【００２２】
式（３）      ＩＯＰ（θ，ｒ）＝ＩＯＰ（ｒ）＋ΔＩＯＰ（θ，ｒ）
項ΔＩＯＰ（θ，ｒ）は、以下の式（４）によって定義され、
式（４）      ΔＩＯＰ（θ，ｒ）＝ΣｋＡ（ｋ，θ，ｒ）（ｓｉｎθ）ｋ
式中、Ａ（ｋ，θ，ｒ）は、次数ｋの係数である。
【００２３】
留意すべきことは、上述した動作電流ルックアップテーブルは、たとえば不揮発性メモリなどの適切なメモリに記憶されることによって実装されてもよく、追加的に／代替的には媒体の特別に保留したフィールドに書込まれてもよいことである。また、留意すべきことは、最適動作電流の計算は、ディスクドライブの動作状態の変化に適応するために、たとえば温度補償因子などの因子を含むことができることである。さらに、メモリの割り当て、たとえばゾーン、ウェッジまたはセクタに基づくＩＯＰおよびＩＷ値を低減するために、追加の最適化を設けてもよい。
【００２４】
図７は、本開示のＳＢ−ＷＣ書込み方法を示す簡略フローチャートである。方法７００は、ＨＡＭＲヘッドを用いて記録媒体の各セクタに対する書込み動作を行うための最適電流を決定するステップ７０２を含む。さらに、方法７００は、複数のセクタの各セクタ用の単一ＷＣＰまたは複数ＷＣＰのルックアップテーブルを維持し、ルックアップテーブルを用いてＷＣを調整するステップ７０６、および／またはルックアップテーブルを記録媒体に書込むステップ７０８を含む。特定の応用に応じて、他のステップを適切に組み込むことができる。ステップ７０８のルックアップテーブルを最初に記録媒体またはメモリに記録されてもよい。よって、第１のステップでは、複数のセクタのうち各セクタ（領域）用の最適ＷＣが検索される。
【００２５】
図８および図９は、本明細書に開示されたＳＢ−ＬＤＩ書込み方法を使用することにより生じたいくつかの利点を説明する。具体的には、図８は、トラックに基づくＬＤＩ書込み方法に関連するオントラックトリプルトラックＢＥＲと、セクタに基づくＬＤＩ書込み方法に関連するオントラックトリプルトラックＢＥＲとの比較を示している。図示のように、セクタに基づくＬＤＩ書込み方法は、最適セクタＢＥＲ、すなわち、最適オントラックＢＥＲ、ひいては最適な面積密度機能（ＡＤＣ）を得た。図９は、トラックに基づく書込み方法（ＴＢ−ＬＤＩ）とセクタに基づく書込み方法（ＳＢ−ＬＤＩ）の両方を使用して中央トラックを１０００回書込んだ後の隣接トラックのオントラックトリプルトラックＢＥＲの比較を示している。図示のように、ＳＢ−ＬＤＩの書込み方法は、隣接トラックのワンスアラウンド影響効果（ＡＴＩＯＡＲ）を大幅に低減するため、隣接トラックの全体影響効果を減少した。
【００２６】
本明細書中に開示されたシステム、装置または方法は、本明細書に記載の特徴構造、方法、または組合せのうち１つ以上を含むことができる。たとえば、装置または方法は、上記の特徴および／またはプロセスのうち１つ以上を含むように実装されてもよい。このような装置または方法は、本明細書に記載された特徴および／またはプロセスのすべてを含む必要がなく、有用な構造および／または機能を提供するように選択された特徴および／またはプロセスを含むように実装されてもよいことが意図されている。
【００２７】
上述したさまざまな実施形態は、特定の結果を提供するために相互作用する回路および／またはソフトウェアモジュールを用いて実現されることができる。コンピューティング分野の当業者は、当該技術分野で一般に知られている知識を使用して、説明した機能をモジュールレベルまたは全体で容易に実装することができる。たとえば、本明細書に示されたフローチャートを用いて、プロセッサに実行されるコンピュータ可読命令／コードを作成することができる。当該技術分野において知られているように、これらの命令は、非一時的なコンピュータ可読媒体に記憶され、実行時にプロセッサに転送されることができる。
【００２８】
特に断りのない限り、明細書および特許請求の範囲に用いられる特徴のサイズ、数量および物理性質を表すすべての数字は、すべての場合において、「約」という用語により修飾されることを理解すべきである。よって、これとは異なる指定がなければ、前述した明細書および添付の特許請求の範囲における数値パラメータは、近似値であって、当業者がここで開示された教示を用いて得ようとする性質に基づいて変更することができる。端点による数値範囲の記載は、その範囲内に包含されるすべての数値（たとえば１〜５は、１、１．５、２、２．７５、３、３．８０、４および５）およびその範囲内における任意の範囲を含む。
【００２９】
上述の開示された実施形態に対して種々の修正および追加を行うことができる。したがって、本開示の範囲は、上述した特定の実施形態によって限定されるものではなく、以下に記載の特許請求の範囲およびその均等物によって定義されるべきである。
【図１】
2016152057.tif 000003
【図３Ａ】
2016152057.tif 000004
【図３Ｂ】
2016152057.tif 000005
【図３Ｃ】
2016152057.tif 000006
【図６】
2016152057.tif 000007
【図６Ａ】
2016152057.tif 000008
【図７】
2016152057.tif 000009
【図２】
2016152057.tif 000010
【図４】
2016152057.tif 000011
【図５】
2016152057.tif 000012
【図８】
2016152057.tif 000013
【図９】
2016152057.tif 000014